(57)【要約】【課題】受信強度が低い場合に合成出力モードが採用された結果、放送信号に重畳されたデータが長時間取得されない場合でも、データを取得するとともに受信品質の低下を低減する受信装置を提供すること。【解決手段】第１の受信部１５０と第２の受信部２００は、データ放送が多重化された放送信号を受信する。切替部１１８は、一方を選択して再生部３００に出力する。受信強度が基準値より低い場合、合成部１２０は、第１の受信部１５０からの出力と第２の受信部２００からの出力を、位相を合わせて合成出力する。合成部１２０により合成出力する場合に、制御部１２４は、一時的に合成出力を中断して第１の受信部１５０に多重化されたデータ放送の受信処理を実行させ、一方で切替部１１８に第２の受信部２００から受信された放送信号の出力を選択させる。【選択図】図１
2017055318.tif 000002
【特許請求の範囲】
【請求項１】
データ放送が多重化された放送信号を受信して出力する第１の受信部と、
前記放送信号を受信して前記第１の受信部よりも狭い帯域で出力する第２の受信部と、
前記第１の受信部からの出力と前記第２の受信部からの出力のうち一方を選択して再生部に出力する切替部と、
前記第１の受信部による前記放送信号の受信強度が基準値より高いか否かを判定する判定部と、
前記受信強度が前記基準値より高いと判定されなかった場合、前記第１の受信部からの出力と前記第２の受信部からの出力を、位相を合わせて合成出力する合成部と、
前記受信強度が前記基準値より高いと判定された場合、前記切替部に前記第１の受信部からの出力を選択させ、前記受信強度が前記基準値より高いと判定されなかった結果、前記合成部により合成出力する場合に、一時的に合成出力を中断して前記第１の受信部に多重化されたデータ放送の受信処理を実行させ、一方で前記切替部に前記第２の受信部から受信された放送信号の出力を選択させる制御部と、
を備える受信装置。
【請求項２】
前記第１の受信部は、前記放送信号の周波数範囲で平坦な周波数特性で出力するように構成され、
前記第２の受信部は、前記放送信号の周波数範囲のうち、２００Ｈｚ以下となる低周波帯域と４ｋＨｚ以上となる高周波帯域との減衰量を大きくした特性で出力するように構成される、
請求項１に記載の受信装置。
【請求項３】
前記第１の受信部と前記第２の受信部は、それぞれデジタルシグナルプロセッサを備えたチューナであり、
前記第１の受信部では音質を重視した出力設定とされ、前記第２の受信部ではノイズ除去を重視した出力設定とされる、
請求項１又は請求項２に記載の受信装置。
【請求項４】
前記判定部は、前記第１の受信部で受信される前記放送信号の電界強度が高い場合に、前記受信強度が高いと判定する、
請求項１〜請求項３のいずれかに記載の受信装置。
【請求項５】
データ放送が多重化された放送信号を受信して出力する第１の受信部と、
前記放送信号を受信して前記第１の受信部よりも狭い帯域で出力する第２の受信部と、
前記第１の受信部からの出力と前記第２の受信部からの出力のうち一方を選択して再生部に出力する切替部を備える受信装置の受信方法において、
前記第１の受信部による前記放送信号の受信強度が基準値より高いか否かを判定する第１のステップと、
前記受信強度が前記基準値より高いと判定されなかった場合、前記第１の受信部からの出力と前記第２の受信部からの出力を、位相を合わせて合成出力する第２のステップと、
前記受信強度が前記基準値より高いと判定された場合、前記切替部に前記第１の受信部からの出力を選択させる第３のステップと、
前記受信強度が前記基準値より高いと判定されなかった結果、合成出力する場合に、一時的に合成出力を中断して前記第１の受信部に多重化されたデータ放送の受信処理を実行させ、一方で前記切替部に前記第２の受信部から受信された放送信号の出力を選択させる第４のステップと、
を含む受信方法。
【請求項６】
データ放送が多重化された放送信号を受信して出力する第１の受信部と、
前記放送信号を受信して前記第１の受信部よりも狭い帯域で出力する第２の受信部と、
前記第１の受信部からの出力と前記第２の受信部からの出力のうち一方を選択して再生部に出力する切替部を備える受信装置において、
前記第１の受信部による前記放送信号の受信強度が基準値より高いか否かを判定する第１のステップと、
前記受信強度が前記基準値より高いと判定されなかった場合、前記第１の受信部からの出力と前記第２の受信部からの出力を、位相を合わせて合成出力する第２のステップと、
前記受信強度が前記基準値より高いと判定された場合、前記切替部に前記第１の受信部からの出力を選択させる第３のステップと、
前記受信強度が前記基準値より高いと判定されなかった結果、合成出力する場合に、一時的に合成出力を中断して前記第１の受信部に多重化されたデータ放送の受信処理を実行させ、一方で前記切替部に前記第２の受信部から受信された放送信号の出力を選択させる第４のステップと、
を前記受信装置のコンピュータに実行させるコンピュータプログラム。
【発明の詳細な説明】
【技術分野】
【０００１】
本発明は、オーディオ放送とラジオデータシステム放送を受信可能なラジオ放送の受信装置に関するものである。
【背景技術】
【０００２】
ＦＭラジオ放送においては、ＲＤＳ（ＲａｄｉｏＤａｔａＳｙｓｔｅｍ）サービスが用いられている。ＲＤＳサービスとは、ＦＭラジオ放送の帯域内に補助データを挿入して提供するサービスであり、例えば交通情報などに用いられている。このＲＤＳサービスにより放送している番組の内容が特定され、受信装置側でもどの番組であるかをデータで特定することができる。
【０００３】
一方、車両等の移動体において、ＦＭ放送やテレビ放送を受信する場合、マルチパス等のフェージングを軽減するために、複数のアンテナを用いたダイバーシティ受信が一般的に行われている。フェーズダイバーシティ受信と通常の受信モードの併用については、様々な方式が採用されている。例えば特許文献１では、受信状態が良好なときには、メインチューナーで希望局のラジオ放送を受信し、サブチューナーは、バックグランドシークを行う。受信状態が良好でないときには、メインチューナーとサブチューナーとをフェーズダイバーシティモードで動作させるＦＭチューナが開示されている。また特許文献２では、強電界と弱電界とで、設定を変えるＦＭチューナが開示されている。
【先行技術文献】
【特許文献】
【０００４】
【特許文献１】特開２００７−６０６２４号公報
【特許文献２】特開２００７−１８４６９３号公報
【発明の概要】
【発明が解決しようとする課題】
【０００５】
ＦＭラジオ放送の受信状態が良くないときに、上述のようにフェーズダイバーシティモードが用いられてきたが、受信状態が良くない状態が続く場合がある。特許文献１の場合、受信状態が良くない状態が続く限りフェーズダイバーシティモードがずっと継続されることとなってしまい、ＲＤＳデータをその間ずっと受信できないという問題があった。
【０００６】
特に欧州などのＦＭラジオ放送の受信については、ＲＤＳデータを受信することにより代替周波数を探索する。フェーズダイバーシティモードは、２つのチューナの両方を用いるものであるので、この間は、ＲＤＳデータを取得することができない。特に、同一放送が別の周波数で放送される地域に移動するときに、対応する周波数を得ようとしても、この周波数特定のために用いるＲＤＳデータを取得することができないということが起こってしまう。
【０００７】
そこで、一時的にフェーズダイバーシティモードを解除する場合を考える。これに対して、放送を受信する側のチューナとＲＤＳ受信側のチューナでは、通常は設定を変えている。すなわち、放送を受信する側では広帯域で音声を受信し、ＲＤＳ受信側ではノイズ除去を優先することにより、フェーズダイバーシティモードでの再生品質を向上させるようにしている。受信音質が良好な時はこのままの設定でもよいが、フェーズダイバーシティモードに入っているときは通信音質が大幅に低下しているときである。この状態でフェーズダイバーシティモードを解除した場合、ノイズ除去が優先されない設定となっているため、ノイズが大量に混在した聞き取りずらい状態で放送が再生され、聴取者にとって非常な不快な状態となってしまう。これに対して特許文献２に記載したようなチューナ間で設定の切り替えを採用する機能を採用しようとしても、設定項目が多岐にわたるため、すぐには切り替えられないという問題があった。
【０００８】
本発明はかかる事情に鑑みてなされたものであり、その目的は、受信強度が低い場合に合成出力モードが採用された結果、放送信号に重畳されたデータが長時間取得されない場合でも、データを取得するとともに受信品質の低下を低減する受信装置を提供することにある。
【課題を解決するための手段】
【０００９】
本発明に係る受信装置は、データ放送が多重化された放送信号を受信して出力する第１の受信部と、前記放送信号を受信して前記第１の受信部よりも狭い帯域で出力する第２の受信部と、前記第１の受信部からの出力と前記第２の受信部からの出力のうち一方を選択して再生部に出力する切替部と、前記第１の受信部による前記放送信号の受信強度が基準値より高いか否かを判定する判定部と、前記受信強度が前記基準値より高いと判定されなかった場合、前記第１の受信部からの出力と前記第２の受信部からの出力を、位相を合わせて合成出力する合成部と、前記受信強度が前記基準値より高いと判定された場合、前記切替部に前記第１の受信部からの出力を選択させ、前記受信強度が前記基準値より高いと判定されなかった結果、前記合成部により合成出力する場合に、一時的に合成出力を中断して前記第１の受信部に多重化されたデータ放送の受信処理を実行させ、一方で前記切替部に前記第２の受信部から受信された放送信号の出力を選択させる制御部と、を備える。
【００１０】
この構成によれば、受信強度が基準値より高いと判定されなかった結果、合成部により合成出力する場合に、合成出力の時間が続くことによりデータ放送が受信できない状態を解消することができる。その一方で、第２の受信部から受信された放送信号を出力するので、受信を中断していたデータ放送を受信することができ、本来合成出力が選択されるような状況で第１の受信部から再生出力することによるノイズの増大等の問題を解消することができる。
【００１１】
好適には、前記第１の受信部は、前記放送信号の周波数範囲で平坦な周波数特性で出力するように構成され、前記第２の受信部は、前記放送信号の周波数範囲のうち、２００Ｈｚ以下となる低周波帯域と４ｋＨｚ以上となる高周波帯域との減衰量を大きくした特性で出力するように構成される。
【００１２】
この構成によれば、受信強度が基準値より高い通常の状態の時は、平坦な周波数特性で出力し、受信強度が基準値より低い場合、合成出力により出力して一時的に合成出力を中断するときには、低周波帯域と高周波帯域の減衰量が大きい出力となる。すなわち、ノイズが発生しやすい場合であっても、ノイズが少なくなる出力設定とすることができる。
【００１３】
好適には、前記第１の受信部と前記第２の受信部は、それぞれデジタルシグナルプロセッサを備えたチューナであり、前記第１の受信部では音質を重視した出力設定とされ、前記第２の受信部ではノイズ除去を重視した出力設定とされる。
【００１４】
この構成によれば、受信強度が基準値より高い通常の状態の時は、音質を重視して出力し、受信強度が基準値より低い場合、合成出力により出力することで再生音質を改善する。そして一時的に合成出力を中断して、受信を中断していたデータ放送を受信することができ、そのときでもノイズが比較的少なくなる出力設定を実現することができる。
【００１５】
好適には、前記判定部は、前記第１の受信部で受信される前記放送信号の電界強度が高い場合に、前記受信強度が高いと判定する。
【００１６】
この構成によれば、電界強度という比較的測定しやすい基準により、受信強度を測定して適切な受信切替を実現することができる。
【００１７】
また、本発明の受信方法は、データ放送が多重化された放送信号を受信して出力する第１の受信部と、前記放送信号を受信して前記第１の受信部よりも狭い帯域で出力する第２の受信部と、前記第１の受信部からの出力と前記第２の受信部からの出力のうち一方を選択して再生部に出力する切替部を備える受信装置の受信方法において、前記第１の受信部による前記放送信号の受信強度が基準値より高いか否かを判定する第１のステップと、前記受信強度が前記基準値より高いと判定されなかった場合、前記第１の受信部からの出力と前記第２の受信部からの出力を、位相を合わせて合成出力する第２のステップと、前記受信強度が前記基準値より高いと判定された場合、前記切替部に前記第１の受信部からの出力を選択させる第３のステップと、前記受信強度が前記基準値より高いと判定されなかった結果、合成出力する場合に、一時的に合成出力を中断して前記第１の受信部に多重化されたデータ放送の受信処理を実行させ、一方で前記切替部に前記第２の受信部から受信された放送信号の出力を選択させる第４のステップと、を含む。
この構成によれば、受信強度が基準値より高いと判定されなかった結果、合成部により合成出力する場合に、合成出力の時間が続くことによりデータ放送が受信できない状態を解消することができる。その一方で、第２の受信部から受信された放送信号を出力するので、受信を中断していたデータ放送を受信することができ、本来合成出力が選択されるような状況で第１の受信部から再生出力することによるノイズの増大等の問題を解消することができる。
【００１８】
また、本発明のコンピュータプログラムは、データ放送が多重化された放送信号を受信して出力する第１の受信部と、前記放送信号を受信して前記第１の受信部よりも狭い帯域で出力する第２の受信部と、前記第１の受信部からの出力と前記第２の受信部からの出力のうち一方を選択して再生部に出力する切替部を備える受信装置において、前記第１の受信部による前記放送信号の受信強度が基準値より高いか否かを判定する第１のステップと、前記受信強度が前記基準値より高いと判定されなかった場合、前記第１の受信部からの出力と前記第２の受信部からの出力を、位相を合わせて合成出力する第２のステップと、前記受信強度が前記基準値より高いと判定された場合、前記切替部に前記第１の受信部からの出力を選択させる第３のステップと、前記受信強度が前記基準値より高いと判定されなかった結果、合成出力する場合に、一時的に合成出力を中断して前記第１の受信部に多重化されたデータ放送の受信処理を実行させ、一方で前記切替部に前記第２の受信部から受信された放送信号の出力を選択させる第４のステップと、を前記受信装置のコンピュータに実行させる。
この構成によれば、受信強度が基準値より高いと判定されなかった結果、合成部により合成出力する場合に、合成出力の時間が続くことによりデータ放送が受信できない状態を解消することができる。その一方で、第２の受信部から受信された放送信号を出力するので、受信を中断していたデータ放送を受信することができ、本来合成出力が選択されるような状況で第１の受信部から再生出力することによるノイズの増大等の問題を解消することができる。
【発明の効果】
【００１９】
本発明によれば、受信強度が低い場合に合成出力モードが採用された結果、放送信号に重畳されたデータが長時間取得されない場合でも、データを取得するとともに受信品質の低下を低減する受信装置を提供することができる。
【図面の簡単な説明】
【００２０】
【図１】本発明の実施の形態に係るラジオ受信装置の構成を示すブロック図である。
【図２】本発明の実施の形態に係る音声重視、ノイズ重視に対するデジタルシグナルプロセッサの設定について説明する表である。
【図３】本発明の実施の形態に係る電界強度が高い場合の動作処理を説明するブロック図である。
【図４】本発明の実施の形態に係る電界強度が低い場合の動作処理を説明するブロック図である。
【図５】本発明の実施の形態に係る電界強度が低い状態が一定時間継続した場合の動作処理を説明するブロック図である。
【図６】本発明の実施の形態に係るラジオ受信処理を説明するフローチャートである。
【発明を実施するための形態】
【００２１】
図１は、本発明の実施の形態に係るラジオ受信装置の構成を示すブロック図である。本実施の形態にかかるラジオ受信装置１は、放送信号を受信する第１のアンテナ１０１と、第１のアンテナ１０１で受信したデータ放送が多重化された放送信号を受信処理する第１の受信装置１００と、データ放送が多重化された放送信号を受信する第２のアンテナ２０１と、第２のアンテナ２０１で受信した放送信号を受信処理する第２の受信装置２００と、第１の受信装置１００から出力された信号を再生処理する再生部３００を備える。
【００２２】
第１の受信装置１００は、アンテナ１０１で受信した放送信号について受信処理を行う受信回路１０２と、受信回路１０２で受信したアナログ信号をデジタル信号に変換するＡＤＣ（アナログデジタル変換器）１０３と、ＡＤＣ１０３でデジタル化された受信信号を受け取り、それらの受信信号に基づき各種処理を実行するＤＳＰ（Digital Signal Processing）１１０と、ＤＳＰ１１０で処理されたデジタル信号をアナログ信号に変換するＤＡＣ（デジタルアナログ変換器）１３０と、ＤＳＰ１１０によって適宜アクセスされ、ＤＳＰ１１０と協働動作を行うＲＯＭ(Read Only Memory)、ＤＲＡＭ(Dynamic Random Access Memory)からなるメモリ１４０を備え、チューナとして動作する。
【００２３】
受信回路１０２は、アンテナ１０１からのＲＦ信号を受け取りこれを増幅するＲＦ増幅器、増幅されたＲＦ信号から希望局の周波数信号を選択する同調回路、局部発信器からの周波数信号とＲＦ信号を混合し中間周波（ＩＦ）信号を生成する混合器、中間周波信号を直流検波しその受信電界強度信号（Ｓメータ信号） を抽出するＳメータ回路を含む。
【００２４】
ＤＳＰ１１０は、例えば、ＦＦＴ(Fast Fourier Transform)、ディジタルフィルタリング、信号同期、時間・周波数デインターリーブ、オーディオデコード、データデコード、フェーズダイバーシティ等の信号処理を行う。これらの信号処理は、メモリ１４０に格納されたソフトウエアを読み出すことにより実行制御される。
【００２５】
ＤＳＰ１１０は、ラジオ処理部１１２と、オーディオ処理部１１４と、ＲＤＳデコーダ１１６と、切替部１１８と、合成部１２０と、判定部１２２と、制御部１２４の各機能的構成を備える。これらの各構成は、メモリ１４０に記憶されたプログラムを読み出すことにより、メモリ１４０への書き込み動作を行うことにより実現される。
【００２６】
ラジオ処理部１１２は、ノイズ除去、ＦＭ検波、ＦＭステレオ復調、マルチパスノイズ低減等の各種アルゴリズム処理を実行する。オーディオ処理部１１４は、音量コントロール、音質（トーン）コントロール、ＣＳII（サークルサラウンドII）、ＦｉｘＥＱの各種アルゴリズム処理を実行する。
【００２７】
ＲＤＳデコーダ１１６は、ＲＤＳデータを取得し、メモリ１４０に記憶、更新する。また、ＲＤＳデコーダ１１６は、第１の受信装置１００又は第２の受信装置２００による放送局のシークにより収集さられたＲＤＳデータやその他のシーク結果をメモリ１４０に記憶する動作を実行する。ＲＤＳデコーダ１１６は、ＲＤＳデータを利用して、受信回路１０２を制御する。受信回路１０２は、シークした放送局が現在受信している放送局と同一の番組を放送しているか否かを確認したり、ＡＦリストに基づき所望の放送局をシークする、いわゆるＡＦサーチ処理を実行する。シークされた結果は、メモリ１４０に記憶する。
【００２８】
ＲＤＳデータは、伝送のためにＦＭ放送信号にディジタルの各種データを多重されたものであり、現在受信しているＦＭ放送のプログラム（番組） 識別コード（ＰＩ）、プログラム名（ＰＳ）、同一プログラムネットワークの周波数リスト（ＡＦ）、番組内容識別コード（ＰＴＹ）、送信状態識別コード（ＤＩ）、音楽か会話かの識別コード（Ｍ／Ｓ）、交通情報放送局の識別コード（ＴＰ）、および交通情報放送中の識別コード（ＴＡ）等を含んでいる。
【００２９】
第１の受信部１５０は、受信回路１０２と、ＡＤＣ１０３と、ラジオ処理部１１２と、オーディオ処理部１１４と、ＲＤＳデコーダ１１６を備えることにより、放送信号を受信して出力するように構成されている。
【００３０】
第２の受信装置２００（第２の受信部）は、アンテナ２０１で受信した放送信号について受信処理を行う受信回路２０２と、受信回路２０２で受信したアナログ信号をデジタル信号に変換するＡＤＣ２０３と、ＡＤＣ２０３でデジタル化された受信信号を受け取り、それらの受信信号に基づき各種処理を実行するＤＳＰ２１０と、ＤＳＰ２１０によって適宜アクセスされ、ＤＳＰ２１０と協働動作を行うＲＯＭ、ＤＲＡＭからなるメモリ２４０を備え、チューナとして動作する。
【００３１】
受信回路２０２の構成は受信回路１０２と同じであり、ＡＤＣ２０３の構成はＡＤＣ１０３と同じであり、ＤＳＰ２１０の構成はＤＳＰ１１０と同じであり、メモリ２４０の構成はメモリ１４０と同じである。ＤＳＰ２１０は、ラジオ処理部２１２、オーディオ処理部２１４、ＲＤＳデコーダ２１６を備える点でも共通しており、これらの各構成は、ラジオ処理部１１２と、オーディオ処理部１１４と、ＲＤＳデコーダ１１６とそれぞれ同じである。
【００３２】
再びＤＳＰ１１０の残りの構成の説明に戻ると、ＤＳＰ１１０は、切替部１１８と、合成部１２０と、判定部１２２と、制御部１２４とをさらに備える。切替部１１８は、オーディオ処理部１１４とオーディオ処理部２１４をから一方を選択してＤＡＣ１３０に切り替え出力するスイッチである。
【００３３】
合成部１２０は、いわゆるフェーズダイバー処理を行う処理部である。すなわち合成部１２０は、判定部１２２で放送信号の受信強度が基準値より高いと判定されなかった場合、第１の受信部１５０からの出力と第２の受信部２００からの出力を入力して、位相を合わせて合成出力する。合成部１２０は、合成した出力を、ラジオ処理部１１２を介してオーディオ処理部１１４及びRDSデコーダ１１６に出力する。または、ラジオ処理部１１２を介さずに出力してもよい。基準値は、フェーズダイバー処理を行わなくても所定の音質を得られる受信強度を基に規定される。基準値は、例えば、標準入力である６０ｄＢμＶとするが、これより高い値、例えば７０ｄＢとしても、低い値、５０ｄＢμＶとしてもよい。
【００３４】
判定部１２２は、第１の受信部１５０による放送信号の受信強度が基準値より高いか否かを判定する。受信強度としては主に電界強度を用い、判定部１２２は、第１の受信部１５０で受信される前放送信号の電界強度が高い場合に、受信強度が高いと判定する。
【００３５】
制御部１２４は、ＤＳＰ１１０の各部動作を制御する処理部であり、受信強度が低い場合のフェーズダイバー処理への移行制御や、その後の通常受信処理への移行を制御する。特に制御部１２４は、受信強度が基準値より高いと判定された場合、切替部１１８に第１の受信部１５０からの出力を選択させ、受信強度が基準値より高いと判定されなかった結果、合成部１２０により合成出力する場合に、一時的に合成出力を中断して切替部１１８に第２の受信部２００から受信された放送信号の出力を選択させる。
【００３６】
「一時的に合成出力を中断」とは、フェーズダイバー処理に移行したときに制御部１２４が、計時動作を開始し、一定の時間が経過するたびに定期的に合成出力を中断して所定の処理を行うことを含む。この一定の時間は設定可能としてもよく、必ずしも一定の値でなくてもよい。
【００３７】
放送信号には、ＲＤＳデータからなるデータ放送が多重化されており、制御部１２４は、合成部１２０による合成出力を一時的に中断する場合に、第１の受信部１５０に多重化されたデータ放送の受信処理を実行させ、一方で第２の受信部２００に放送信号に基づき出力させる。多重化されたデータ放送の受信処理が終了した後、制御部１２４は、再びフェーズダイバー処理に移行するように制御する。
【００３８】
再生部３００は、第１の受信装置１００の出力に接続され、第１の受信装置１００から出力されたオーディオ信号を増幅するアンプ、アンプで増幅されたオーディオ信号を出力するスピーカ、第１の受信装置１００又は第２の受信装置２００で復号されたデータを表示する表示部を有する。
【００３９】
図２は、本発明の実施の形態に係る音声重視、ノイズ重視に対するデジタルシグナルプロセッサの設定について説明する表である。第１の受信部１５０はＤＳＰ１１０を、第２の受信部２００はＤＳＰ２１０をそれぞれ備えており、いずれも初期設定の状態では同じ機能を果たす。ここで、ラジオ受信装置１の電源投入時に、ＤＳＰ１１０、ＤＳＰ２１０は、それぞれの内部設定を構成する。原則として電源投入時の設定であるが、何らかのリセット指示の入力に対して内部構成を再設定してもよい。
【００４０】
特に第１の受信部１５０では音質を重視した出力設定とされ、第２の受信部２００ではノイズ除去を重視した出力設定とされる。言い換えると、第１の受信部１５０は、前記放送信号の周波数範囲で平坦な周波数特性で出力するように構成され、第２の受信部２００は、放送信号の周波数範囲のうち、２００Ｈｚ以下となる低周波帯域と４ｋＨｚ以上となる高周波帯域との減衰量を大きくした特性で出力するように構成される。
【００４１】
この音質重視の設定とノイズ除去重視の設定の違いを図２に示す。ラジオ処理部１１２、ラジオ処理部２１２においてはＩＦ帯域制御を設定する。ラジオ処理部１１２では音質重視のため、電界強度変化を少なくなるように設定し、ラジオ処理部２１２ではノイズ重視のため、電界強度変化を多くなるように設定する。
【００４２】
オーディオ処理部１１４、オーディオ処理部２１４においては音声周波数特定制御、ステレオ特性制御を設定する。音声周波数特定制御については、オーディオ処理部１１４では音質重視のため、フラット範囲を広く、電界強度変化量を少なくなるように設定し、オーディオ処理部２１４ではノイズ重視のため、フラット範囲を狭く、電界強度変化量を多くなるように設定する。
【００４３】
ステレオ特性制御については、オーディオ処理部１１４では音質重視のため、通常分離度、マルチパス時分離度、高域分離度、低域分離度を大きくなるように設定し、オーディオ処理部２１４ではノイズ重視のため、通常分離度、マルチパス時分離度、高域分離度、低域分離度を小さくなるように設定する。また、オーディオ処理部１１４では音質重視のため、通常分離開始点、マルチパス時分離開始点を早くなるように設定し、オーディオ処理部２１４ではノイズ重視のため、通常分離開始点、マルチパス時分離開始点を遅くなるように設定する。
【００４４】
図３は、本発明の実施の形態に係る電界強度が高い場合の動作処理を説明するブロック図である。第１の受信部１５０で受信する信号の電界強度が高い場合、すなわち判定部１２４が、第１の受信部１５０による放送信号の受信強度が基準値より高いと判定する場合、制御部１２４は、切替部１１８に第１の受信部１５０からの出力を選択させる。したがって、オーディオ処理部１１４が動作して音声出力し、ＲＤＳデータについてはＲＤＳデコーダ２１６で受信処理することにより、ＲＤＳデコーダ２１６でＡＦサーチ処理を実行する。その結果、ＲＤＳデコーダ１１６、合成部１２０、オーディオ処理部２１４は動作の必要がなくなるので、図３にそれぞれ点線で示す。
【００４５】
図４は、本発明の実施の形態に係る電界強度が低い場合の動作処理を説明するブロック図である。第１の受信部１５０で受信する信号の電界強度が低い場合、すなわち判定部１２４が、第１の受信部１５０による放送信号の受信強度が基準値より低いと判定する場合、制御部１２４は合成部１２０に対して動作指示し、合成部１２０は、第１の受信部１５０からの出力と第２の受信部２００からの出力を、位相を合わせて合成出力する、いわゆるフェーズダイバー処理を実行する。合成部１２０は、合成した出力を、ラジオ処理部１１２を介してオーディオ処理部１１４及びRDSデコーダ１１６に出力する。したがって、合成部１２０と協働してオーディオ処理部１１４が動作して音声出力する一方、ＲＤＳデータについて受信処理されない。その結果、ＲＤＳデコーダ１１６、オーディオ処理部２１４、ＲＤＳデコーダ２１６は動作の必要がなくなるので、図４にそれぞれ点線で示す。
【００４６】
図５は、本発明の実施の形態に係る電界強度が低い状態が一定時間継続した場合の動作処理を説明するブロック図である。受信強度が基準値より高いと判定されなかった結果、図４に示したようにフェーズダイバー処理行うが、この処理が継続すると、ＲＤＳデータが取得されない。そこで、一定時間経過したときに、制御部１２４は、一時的に合成出力を中断して切替部１１８に第２の受信部２００から受信された放送信号の出力を選択させる。放送信号の出力再生は第２の受信部２００を用いて行う一方で、ＡＦサーチ処理は、第１の受信部１５０のＲＤＳデコーダ１１６によって行う。その結果、オーディオ処理部１１４、合成部１２０、ＲＤＳデコーダ２１６は動作の必要がなくなるので、図５にそれぞれ点線で示す。
【００４７】
図６は、本発明の実施の形態に係るラジオ受信処理を説明するフローチャートである。まず、電源投入段階において図２に示した設定はされており、ＦＭ放送の受信再生処理を実行している間の一連の処理を説明する。
【００４８】
まず、判定部１２２は、電界強度が基準値以上か否かを判定する（ステップＳＴ１０）。電界強度が基準値以上の場合、制御部１２４は、通常の受信処理を継続する（ステップＳＴ２０）。すなわち、図３を参照して説明したように、制御部１２４は、切替部１１８に第１の受信部１５０からの出力を選択させ、オーディオ処理部１１４が動作して音声出力し、ＲＤＳデータについてはＲＤＳデコーダ２１６で受信処理する。
【００４９】
判定部１２４が、第１の受信部１５０による放送信号の受信強度が基準値未満と判定する場合、いわゆるフェーズダイバー処理を実行する（ステップＳＴ３０）。すなわち図４を参照して説明したように、制御部１２４は合成部１２０に対して動作指示し、合成部１２０は、第１の受信部１５０からの出力と第２の受信部２００からの出力を、位相を合わせて合成出力する。この間、合成部１２０と協働してオーディオ処理部１１４が動作して音声出力する一方、ＲＤＳデータについて受信処理されない。
【００５０】
ここで改めて判定部１２２は、電界強度が基準値以上か否かを判定する（ステップＳＴ４０）。電界強度が基準値以上の場合、ステップＳＴ２０に進み、制御部１２４は、通常の受信処理に切り替える。電界強度が基準値未満の場合、判定部１２２は一定時間経過の有無を判定し（ステップＳＴ５０）、一定時間が経過しない場合はステップＳＴ３０に戻って処理を繰り返す。
【００５１】
一定時間が経過した場合、制御部１２４は、ＲＤＳデータが取得されないまま一定時間経過したということであるので、ＡＦサーチ処理に移行する（ステップＳＴ６０）。ＡＦサーチ処理では、図５を参照して説明したように、制御部１２４は、一時的に合成出力を中断して切替部１１８に第２の受信部２００から受信された放送信号の出力を選択させる。そして、ＡＦサーチ処理を第１の受信部１５０のＲＤＳデコーダ１１６によって行う。ＡＦサーチ処理が終了したら、ステップＳＴ３０に戻り、フェーズダイバー処理を継続する。
【００５２】
以上のように構成することにより、受信強度が高い場合には第１の受信装置１００による受信再生を行うことができ、受信強度が高いことから音質重視でＦＭ放送を再生することができるとともに、第２の受信装置２００でもバックグラウンドでＲＤＳデータ放送を受信し、適宜ＡＦサーチを実行することで、周波数の切り替えが必要となる場合にも適宜変更することができる。
【００５３】
そして受信強度が基準値未満となった時は、いわゆるフェーズダイバー処理に移行することにより、２つの受信装置により改善された再生品質でラジオ再生を実現することができる。しかしながら、フェーズダイバー処理の期間が長くなってしまった場合には、ＲＤＳデータが更新されず、適切なＡＦサーチが行われないという問題が生じるので、合成出力を中断して第１の受信装置１００でＲＤＳデータを受信、ＡＦサーチを実行することにより、データ放送が受信できない状態を解消することができる。
【００５４】
その一方で、第２の受信部から受信された放送信号を出力するので、本来合成出力が選択されるような状況で第１の受信部から再生出力することによるノイズの増大等の問題を解消することができる。特に通常は第１の受信装置１００からの再生出力が前提となっていることから、出力設定を音質重視にするが、これは電界強度の低い、いわゆるノイズの多い環境下には適していない。しかしながらその都度設定を変更するには設定項目が多すぎることから、あらかじめ第２の受信装置２００でノイズ重視の設定にしておき、フェーズダイバー処理の中断時には第２の受信装置２００による再生とすることにより、ノイズの多い場合でも適切な設定での再生を実現することができる。
【００５５】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、データ放送としてＲＤＳサービスのデータ放送を例示したが、それ以外のデータ放送でもよい。
また、放送信号は、ラジオ信号以外にビデオ信号でもよい。
【産業上の利用可能性】
【００５６】
前記実施の形態では、ＦＭラジオ放送を受信するラジオ受信端末を対象として説明されているが、本発明は、特にこれらに限定することなく、ＦＭラジオ放送に限られないアナログ放送を受信する受信装置全般に適用することができる。
【符号の説明】
【００５７】
１００…第１の受信装置
１０１…アンテナ
１０２…受信回路
１０３…ＡＤＣ
１１０…ＤＳＰ
１１２…ラジオ処理部
１１４…オーディオ処理部
１１６…ＲＤＳデコーダ
１１８…切替部
１２０…合成部
１２２…判定部
１２４…制御部
１４０…メモリ
１４１…プログラム
１５０…第１の受信部
２００…第２の受信装置（第２の受信部）
２０１…アンテナ
２０２…受信回路
２０３…ＡＤＣ
２１０…ＤＳＰ
２１２…ラジオ処理部
２１４…オーディオ処理部
２１６…ＲＤＳデコーダ
２４０…メモリ
２４１…プログラム
【図１】
2017055318.tif 000003
【図２】
2017055318.tif 000004
【図３】
2017055318.tif 000005
【図４】
2017055318.tif 000006
【図５】
2017055318.tif 000007
【図６】
2017055318.tif 000008